(57)【特許請求の範囲】
【請求項１】
鋸刃の切粉除去方法であって、鋸刃に付着した切粉を除去するために外周面が鋸刃に接触した回転ブラシを軸心回りに回転すると共に、当該回転ブラシにおける軸心長さの中心位置を揺動中心として、前記回転ブラシの外周面に対する鋸刃の接触位置を、前記回転ブラシの回転に従って外周面の一端側から他端側へ、及びその逆方向へ次第に変えるように、前記回転ブラシの回転面を前記軸心長さ方向に揺動することを特徴とする鋸刃の切粉除去方法。
【請求項２】
鋸刃に付着した切粉を除去するための回転ブラシであって、当該回転ブラシの中心部に、当該回転ブラシを回転するためのブラシ支持軸に取付けるためのセンタブッシュを備え、このセンタブッシュに備えた取付孔を、前記回転ブラシの外周面に対する鋸刃の接触位置を前記回転ブラシの回転に従って外周面の一端側から他端側へ、及びその逆方向へ次第に変えるように、前記回転ブラシの中心軸に対して傾斜してあることを特徴とする回転ブラシ。
【請求項３】
請求項２に記載の回転ブラシにおいて、センタブッシュは回転ブラシに対して着脱交換自在であり、かつ軸方向の一対に分割してあることを特徴とする回転ブラシ。
【請求項４】
鋸刃に付着した切粉を除去するための回転ブラシ装置であって、当該回転ブラシ装置における回転ブラシの中心部に、当該回転ブラシを回転するためのブラシ支持軸に取付けるためのセンタブッシュを備え、前記ブラシ支持軸の先端部に備えたブラシ取付軸の軸心を前記ブラシ支持軸の軸心に対して傾斜してあることを特徴とする回転ブラシ装置。
【発明の詳細な説明】
【技術分野】
【０００１】
本発明は、例えば帯鋸盤や丸鋸盤などの鋸盤における鋸刃（帯鋸刃、丸鋸刃）に付着した切粉を除去する方法及び装置並びに回転ブラシに係り、さらに詳細には、鋸刃に外周面が接触して回転する回転ブラシの回転面を揺動して切粉除去を行う方法及び装置並びに回転ブラシに関する。
【背景技術】
【０００２】
従来、例えば横型帯鋸盤などの鋸盤によって金属製のワークの切断を行うと、当該鋸盤に備えた鋸刃には切削屑としての切粉が付着する。したがって鋸刃に付着した切粉の除去を行うために、回転ブラシの外周面を前記鋸刃に接触させて切粉の除去を行うことが行われている（例えば特許文献１参照）。
【先行技術文献】
【特許文献】
【０００３】
【特許文献１】実公昭４７−２１５０６号公報
【発明の概要】
【発明が解決しようとする課題】
【０００４】
前記特許文献１に記載のごとき従来の構成においては、回転ブラシの回転面は当該回転ブラシの駆動軸に対して常に直交した状態にある。したがって、鋸刃と回転ブラシにおける外周面との接触関係は常に一定の関係にあり、切粉の除去を効果的に行うには問題がある。そこで、前記特許文献１に記載の構成においては、駆動ワイヤーブラシを回転する駆動軸に偏心カムを備えて従動ブラシを上下に揺動する構成を採用しているが、前記駆動ワイヤーブラシは同一平面において単に回転しているにすぎないものである。すなわち、駆動ワイヤーブラシによる切粉の除去をより効果的に行うには問題がある。
【課題を解決するための手段】
【０００５】
本発明は、前述したごとき従来の問題に鑑みてなされたもので、鋸刃の切粉除去方法であって、鋸刃に付着した切粉を除去するために外周面が鋸刃に接触した回転ブラシを軸心回りに回転すると共に、当該回転ブラシにおける軸心長さの中心位置を揺動中心として、前記回転ブラシの外周面に対する鋸刃の接触位置を、前記回転ブラシの回転に従って外周面の一端側から他端側へ、及びその逆方向へ次第に変えるように、前記回転ブラシの回転面を前記軸心長さ方向に揺動することを特徴とするものである。
【０００６】
また、鋸刃に付着した切粉を除去するための回転ブラシであって、当該回転ブラシの中心部に、当該回転ブラシを回転するためのブラシ支持軸に取付けるためのセンタブッシュを備え、このセンタブッシュに備えた取付孔を、前記回転ブラシの外周面に対する鋸刃の接触位置を前記回転ブラシの回転に従って外周面の一端側から他端側へ、及びその逆方向へ次第に変えるように、前記回転ブラシの中心軸に対して傾斜してあることを特徴とするものである。
【０００７】
また、前記回転ブラシにおいて、センタブッシュは回転ブラシに対して着脱交換自在であり、かつ軸方向の一対に分割してあることを特徴とするものである。
【０００８】
また、鋸刃に付着した切粉を除去するための回転ブラシ装置であって、当該回転ブラシ装置における回転ブラシの中心部に、当該回転ブラシを回転するためのブラシ支持軸に取付けるためのセンタブッシュを備え、前記ブラシ支持軸の先端部に備えたブラシ取付軸の軸心を前記ブラシ支持軸の軸心に対して傾斜してあることを特徴とするものである。
【発明の効果】
【０００９】
本発明によれば、回転ブラシは回転平面を揺動しつつ回転するので、回転ブラシの外周面の鋸刃に対する接触部は往復動して鋸刃に付着している切粉を払うように作用するので、鋸刃に付着している切粉を効果的に除去することができるものである。
【図面の簡単な説明】
【００１０】
【図１】本発明の実施形態に係る回転ブラシの構成を示す説明図である。
【図２】回転ブラシの揺動と鋸刃との関係を示す説明図である。
【図３】回転ブラシと鋸刃との関係を示す別形態の説明図である。
【図４】回転ブラシと鋸刃との関係を示す別形態の説明図である。
【図５】回転ブラシの別形態の構成を示す説明図である。
【図６】回転ブラシ装置の構成を示す説明図である。
【発明を実施するための形態】
【００１１】
以下、図面を用いて本発明の実施形態について説明するに、帯鋸盤や丸鋸盤の鋸盤は既によく知られた構成であるから、鋸盤の構成についての説明は省略する。また、鋸刃としての帯鋸刃や丸鋸刃も周知の構成であるから、鋸刃として帯鋸刃の場合を例示し、帯鋸刃と回転ブラシとの関係について説明することとする。
【００１２】
図１を参照するに、本実施形態においては、鋸刃としての帯鋸刃１における鋸歯１Ｔの歯先側に回転ブラシ３が配置してある。すなわち、帯鋸刃１における鋸歯１Ｔの歯先側には、帯鋸刃１の走行方向（矢印Ａ方向）及びワークに対する帯鋸刃１の切込み方向（図１（Ａ）において上下方向）に対して直交する方向の軸（駆動軸、ブラシ支持軸）５が配置してあり、この軸５の先端部に備えたブラシ取付軸７に、前記回転ブラシ３におけるブラシ台金３Ａの中心部に一体的に備えたセンタブッシュ９が嵌合し、取付ナット１１によって着脱可能に取付けてある。
【００１３】
前記センタブッシュ９は、前記回転ブラシ３を前記軸５におけるブラシ取付軸７に取付けるためのブッシュであって、このセンタブッシュ９には、前記ブラシ取付軸７と嵌合する取付孔１３が備えられている。この取付孔１３の軸心１３Ｓは回転ブラシ３の中心軸３Ｓに対して角度αだけ傾斜してある。そして、前記軸心１３Ｓと中心軸３Ｓの交差位置Ｏは、前記回転ブラシ３における軸心長さのほぼ中心位置に設定してある。
【００１４】
上記構成により、回転ブラシ３を、軸５のブラシ取付軸７に取付けて固定した状態において軸５を回転すると、センタブッシュ９に備えた取付孔１３が回転ブラシ３の中心軸３Ｓに対して傾斜してあることにより、回転ブラシ３の回転平面（中心軸３Ｓと直交する平面）は、前記交差位置Ｏを中心位置（揺動中心）として揺動することになる。したがって、鋸刃１における鋸歯１Ｔに接触した回転ブラシ３の外周面（接触面）１５は、図２（Ａ）〜（Ｄ）に示すように、回転ブラシ３の回転に従って、外周面１５の一端側１５Ａから他端側１５Ｂへ、及びその逆方向へ次第に接触位置を変えることになる。
【００１５】
すなわち、回転ブラシ３は回転平面を揺動しつつ回転するので、鋸刃１の鋸歯１Ｔに接触した外周面は鋸歯１Ｔの位置を横切るように往復動するものであって、鋸刃１における鋸歯１Ｔに付着している切粉を払い落とすように作用するものであって、鋸刃１に付着している切粉の除去を効果的に行い得るものである。換言すれば、回転ブラシ３の外周面に対する鋸刃１の接触位置は、回転ブラシ３の外周面に対して相対的に蛇行する態様となるものである。
【００１６】
ところで、前記実施形態においては、鋸刃１の走行方向Ａに対して軸５を直交する方向に配置した場合について例示したが、図３（Ａ），（Ｂ）に示すように、鋸刃１の走行方向Ａに対して軸５を平行に、又は適宜に傾斜した状態に配置することも可能である。
【００１７】
また、鋸刃１における鋸歯１Ｔの歯先側に限ることなく、図４（Ａ），（Ｂ）に示すように、鋸刃１の１側面又は両側面に回転ブラシ３を配置することも可能である。この場合、軸５は、鋸刃１の側面と平行であって、図４（Ａ）に示すように、鋸刃１の走行方向Ａに対して直交するように配置することや、図４（Ｂ）に示すように、走行方向Ａの方向へ、又はその逆方向へ軸５を傾斜して配置することも可能である。
【００１８】
なお、前述の実施形態においては、回転ブラシ３にセンタブッシュ９が一体的に固定してある場合について例示した。しかし、回転ブラシ３とセンタブッシュ９等の関係を、図５に示すごとき構成とすることも可能である。すなわち、センタブッシュ９を、回転ブラシ３に対して着脱交換自在であって、締付フランジ９Ｆを備えた軸方向の一対の分割片９Ａ，９Ｂに分割した構成とする。そして、回転ブラシ３に備えたブラシ台金３Ａの中心穴に各分割片９Ａ，９Ｂを嵌合し、軸５のブラシ取付軸７に取付けて取付ナット１１によって締付けるときに、前記分割片９Ａ，９Ｂの締付フランジ９Ｆによって回転ブラシ３のブラシ台金３Ａを一体的に取付固定する構成とすることも可能である。
【００１９】
この場合、回転ブラシ３が消耗したとき、前記センタブッシュ９の各分割片９Ａ，９Ｂを、交換した新しい別個の回転ブラシ３に対して共通部品として使用可能なものである。
【００２０】
ところで、前記説明においては、回転ブラシ３に備えたセンタブッシュ９における取付孔１３を傾斜して備えた場合について例示した。しかし、センタブッシュ９に備えた取付孔１３を傾斜して備えるか、軸５におけるフランジ取付軸７を予め傾斜して備えるかは相対的なものである。したがって、図６に示すように、軸５におけるフランジ取付軸７を予め傾斜した構成の回転ブラシ装置として、前記フランジ取付軸７に回転ブラシ３を着脱交換自在に又は一体的に備えた構成とすることも可能なものである。
【００２１】
前記説明より理解されるように、回転ブラシ３を回転すると共に回転ブラシ３の回転面を揺動するものであるから、鋸刃１に接触した回転ブラシ３の外周面の接触部は、鋸刃１に対して回転しつつ往復動することとなり、鋸刃１に付着している切粉を払いのける作用をなすものであり、付着している切粉の除去を効果的に行い得るものである。
【００２２】
なお、回転ブラシ３は、ある程度消耗したときには、表裏を逆にして装着することにより、再度使用することが可能なものである。
【符号の説明】
【００２３】
１    鋸刃（帯鋸刃）
３    回転ブラシ
５    軸（駆動軸、ブラシ支持軸）
７    ブラシ取付軸
９    センタブッシュ
１１    取付ナット
１３    取付孔
１５    外周面（接触面）
【図１】
0005865017.tif 000002
【図２】
0005865017.tif 000003
【図３】
0005865017.tif 000004
【図４】
0005865017.tif 000005
【図５】
0005865017.tif 000006
【図６】
0005865017.tif 000007